(57)【要約】【課題】手指を離してもトリガ型の操作スイッチを引き操作した状態を保持することが可能なクリーナを提供すること。【解決手段】モータ２４によって空気とともに塵埃を吸込可能な吸込力を生じさせる本体部２０と、ユーザが把持するハンドル部３０と、ハンドル部３０に移動可能に配置され、移動によってモータ２４への電力の供給と供給停止とを切り替えるトリガ操作部材６１と、ハンドル部３０に移動可能に配置され、移動によってトリガ操作部材６１を移動させてモータ２４への電力の供給と供給停止とを切り替えるスライド操作部材７１とを備える。【選択図】図１
2020018637.tif 000002
【特許請求の範囲】
【請求項１】
モータによって空気とともに塵埃を吸込可能な吸込力を生じさせる本体部と、
ユーザが把持するハンドル部と、
前記ハンドル部に移動可能に配置され、移動によって前記モータへの電力の供給と供給停止とを切り替える第一スイッチ部材と、
前記ハンドル部に移動可能に配置され、移動によって前記第一スイッチ部材を移動させて前記モータへの電力の供給と供給停止とを切り替える第二スイッチ部材と、
を備えることを特徴とするクリーナ。
【請求項２】
前記第一スイッチ部材は、前記ハンドル部に対して引き込み操作が可能なトリガ操作部材である、
請求項１に記載のクリーナ。
【請求項３】
前記第二スイッチ部材は、前記ハンドル部に対してスライド操作可能なスライド操作部材である、
請求項１に記載のクリーナ。
【請求項４】
前記第二スイッチ部材は、第一方向にスライド操作すると、前記第一スイッチ部材を前記ハンドル部に対して引き込み、前記第一方向と反対の第二方向にスライド操作すると、前記第一スイッチ部材を元の位置に復帰可能にする、
請求項３に記載のクリーナ。
【請求項５】
前記第二スイッチ部材は、前記第一方向の所定位置までスライドした位置を保持するロック機構、を有する、
請求項４に記載のクリーナ。
【請求項６】
前記第一スイッチ部材及び前記第二スイッチ部材は、前記ハンドル部を片手で把持した状態で手指で操作可能な位置に配置されている、
請求項１から５のいずれか一項に記載のクリーナ。
【請求項７】
前記第二スイッチ部材は、前記第一スイッチ部材に接触可能な突出部、を有し、
前記突出部は、前記第二スイッチ部材が第一方向にスライド操作されると、前記第一スイッチ部材に接触することによって、前記第一スイッチ部材を前記ハンドル部に対して引き込み、前記第二スイッチ部材が前記第二方向にスライド操作されると、前記第一スイッチ部材から離間することによって、前記第一スイッチ部材を元の位置に復帰可能にする、
請求項４に記載のクリーナ。
【請求項８】
前記ハンドル部は、前記第二スイッチ部材を位置決めする係合部材、を有し、
前記第二スイッチ部材は、外周面に配置され、前記ロック機構として機能するテーパ面、を有し、
前記テーパ面は、前記係合部材と係合することで、前記第二スイッチ部材の移動を規制する、
請求項５に記載のクリーナ。
【請求項９】
前記ハンドル部は、前記第二スイッチ部材を位置決めする係合部材、を有し、
前記第二スイッチ部材は、前記係合部材と係合可能な係合面、を有し、
前記係合面は、前記第一スイッチ部材が元の位置に位置付けられた状態で前記係合部材と係合することで、前記第二スイッチ部材の移動を規制する、
請求項４に記載のクリーナ。
【請求項１０】
前記第一スイッチ部材は、前記ハンドル部に対して引き込まれた状態から元の位置に復帰するように付勢する弾性部材、を有し、
前記第二方向は、前記弾性部材の付勢力の作用する方向とは異なる方向である、
請求項４に記載のクリーナ。
【発明の詳細な説明】
【技術分野】
【０００１】
本発明は、クリーナに関する。
【背景技術】
【０００２】
トリガ型の操作スイッチに対する操作によって、モータの駆動と停止とを行うクリーナに関する技術が知られている（例えば、特許文献１参照）。特許文献１に記載の技術では、トリガ型の操作スイッチを手指で引き操作をするとモータが駆動し、手指を離すとモータが停止する。
【先行技術文献】
【特許文献】
【０００３】
【特許文献１】特開２０１２−１２０６３４号公報
【発明の概要】
【発明が解決しようとする課題】
【０００４】
特許文献１に記載の技術は、トリガ型の操作スイッチを引き操作すると、引き操作している間、クリーナが動作するので、ユーザにとって操作が容易で、利便性が高い。ところが、連続して吸引したい場合、トリガ型の操作スイッチを手指で引き操作した状態を保持しなくてはならないので、ユーザによっては負担になるおそれがある。
【０００５】
本発明の態様は、手指を離してもトリガ型の操作スイッチを引き操作した状態を保持することが可能なクリーナを提供することを目的とする。
【課題を解決するための手段】
【０００６】
本発明の態様に従えば、モータによって空気とともに塵埃を吸込可能な吸込力を生じさせる本体部と、ユーザが把持するハンドル部と、前記ハンドル部に移動可能に配置され、移動によって前記モータへの電力の供給と供給停止とを切り替える第一スイッチ部材と、前記ハンドル部に移動可能に配置され、移動によって前記第一スイッチ部材を移動させて前記モータへの電力の供給と供給停止とを切り替える第二スイッチ部材と、を備えることを特徴とするクリーナが提供される。
【発明の効果】
【０００７】
本発明の態様によれば、手指を離してもトリガ型の操作スイッチを引き操作した状態を保持することが可能なクリーナが提供される。
【図面の簡単な説明】
【０００８】
【図１】図１は、第一実施形態に係るクリーナの一例を示す側面図である。
【図２】図２は、第一実施形態に係るクリーナの一例を示す断面図である。
【図３】図３は、第一実施形態に係るクリーナのトリガスイッチ及びスライドスイッチを示す断面図であり、スライドスイッチが後部に位置した状態を示す図である。
【図４】図４は、第一実施形態に係るクリーナのトリガスイッチ及びスライドスイッチを示す断面図であり、トリガスイッチが引き込まれた状態を示す図である。
【図５】図５は、第一実施形態に係るクリーナのトリガスイッチ及びスライドスイッチを示す断面図であり、スライドスイッチが中間部に位置した状態を示す図である。
【図６】図６は、第一実施形態に係るクリーナのトリガスイッチ及びスライドスイッチを示す断面図であり、スライドスイッチが前部に位置した状態を示す図である。
【図７】図７は、図６に示すトリガスイッチ及びスライドスイッチの部分拡大図である。
【図８】図８は、第一実施形態に係るクリーナの制御回路の一例を示すブロック図である。
【図９】図９は、第二実施形態に係るクリーナの一例を示す側面図である。
【図１０】図１０は、図９に示すトリガスイッチ及びスライドスイッチの部分拡大図である。
【図１１】図１１は、従来のクリーナの一例を示す断面図である。
【発明を実施するための形態】
【０００９】
以下、本発明の実施形態について、添付図面を参照して詳細に説明する。なお、この実施形態によりこの発明が限定されるものではない。また、下記実施形態における構成要素には、当業者が置換可能かつ容易なもの、または実質的に同一のものを含む。さらに、以下に記載した構成要素は適宜組み合わせることが可能であり、また、実施形態が複数ある場合には、各実施形態を組み合わせることも可能である。
【００１０】
以下の説明においては、Ｘ軸方向を、「前後方向」とする。Ｙ軸方向を、「左右方向」とする。Ｙ軸方向とは、Ｘ軸方向に対して水平面内において直交する方向である。前後方向「前」側へ向かって、左手側が「左」、右手側が「右」である。Ｚ軸方向を、「上下方向」とする。Ｚ軸方向とは、Ｘ軸方向及びＹ軸方向に対して直交する方向である。
【００１１】
［第一実施形態］
図１、図２を参照して、クリーナ１０の概要について説明する。図１は、第一実施形態に係るクリーナの一例を示す側面図である。図２は、第一実施形態に係るクリーナの一例を示す断面図である。本実施形態では、クリーナ１０は、充電式のバッテリパック（以下、「バッテリ」という。）１００から電力が供給されて動作する。
【００１２】
クリーナ１０は、本体部２０と、ハンドル部３０と、吸込ノズル部４０と、バッテリ装着部５０と、トリガスイッチ６０と、スライドスイッチ７０と、制御回路基板９０と、バッテリ１００とを備える。
【００１３】
本体部２０は、空気とともに塵埃を吸込可能な吸込力を生じさせる。本体部２０は、後ハウジング２１と、前ハウジング２２と、排気口２３と、モータ２４と、吸込用ファン２５と、フィルタ２６とを有する。
【００１４】
後ハウジング２１は、前ハウジング２２とともに本体部２０の外形を規定する。後ハウジング２１は、＋Ｘ側が開口した筒状に形成されている。後ハウジング２１は、モータ２４と、吸込用ファン２５とを収容する。後ハウジング２１は、排気口２３が配置されている。
【００１５】
前ハウジング２２は、−Ｘ側が開口した筒状に形成されている。前ハウジング２２は、＋Ｘ側の後ハウジング２１の開口に着脱可能である。前ハウジング２２には、フィルタ２６が収容されている。前ハウジング２２は、吸込用ファン２５の駆動時、吸込ノズル部４０から吸い込んだ空気に含まれる塵埃を内部に留めおく。前ハウジング２２を通過した空気は、フィルタ２６を通過して、後ハウジング２１に流入する。前ハウジング２２を後ハウジング２１から取り外した状態で、前ハウジング２２の内部に溜まった塵埃を除去可能である。
【００１６】
排気口２３は、後ハウジング２１の外部と内部とを連通する。排気口２３は、吸込ノズル部４０から吸い込んだ空気を後ハウジング２１の外部へ排出する。排気口２３は、複数のスリット２３１を含む。本実施形態では、スリット２３１は、前後方向に沿って形成された長孔である。スリット２３１は、６つ形成されている。
【００１７】
モータ２４は、回転することによって空気とともに塵埃を吸込可能な吸込力を生じさせるための吸込用ファン２５を回転させる。モータ２４は、バッテリ１００から供給される電力によって回転する。モータ２４は、出力軸を介して吸込用ファン２５と連結されている。モータ２４は、後ハウジング２１の内部において、吸込用ファン２５より後側に配置されている。
【００１８】
吸込用ファン２５は、モータ２４が回転することによって空気とともに塵埃を吸込可能な吸込力を生じさせる。吸込用ファン２５は、空気とともに塵埃を吸込可能な空気の流れを生じさせる。吸込用ファン２５は、後ハウジング２１の内部において、モータ２４より前側に配置されている。吸込用ファン２５は、モータ２４の回転軸と連結されている。吸込用ファン２５は、モータ２４が回転すると回転する。吸込用ファン２５が回転すると、空気が吸込ノズル部４０から前ハウジング２２の内部に吸引される。
【００１９】
フィルタ２６は、吸引した空気に含まれる塵埃を除去する。フィルタ２６は、一方が開口し、他方の端部が閉じた筒状に形成されている。フィルタ２６は、前ハウジング２２の内部に収容されている。より詳しくは、フィルタ２６は、前ハウジング２２の内部において、吸込ノズル部４０の後側に配置されている。フィルタ２６は、吸込用ファン２５の前側に配置されている。フィルタ２６は、開口が吸込用ファン２５の＋Ｘ側に向かい合っている。フィルタ２６は、吸込ノズル部４０から吸引した空気を通過させ、空気に含まれる塵埃を前ハウジング２２の内部に留めおく。フィルタ２６を通過した空気は、後ハウジング２１を通過して排気口２３から排出される。フィルタ２６は、前ハウジング２２を後ハウジング２１から取り外した状態で装着と取外しとが可能である。
【００２０】
ハンドル部３０は、ユーザが把持する把持部である。ハンドル部３０は、−Ｘ側の本体部２０の後部で、＋Ｚ側の本体部２０の上部に配置されている。ハンドル部３０は、ハンドルハウジング３１と、バッテリ装着ハウジング３２と、ストラップ３３とを有する。
【００２１】
ハンドルハウジング３１は、ハンドル部３０の外形を規定する。ハンドルハウジング３１は、トリガスイッチ６０のトリガ操作部材（第一スイッチ部材）６１が配置される開口３１１と、スライドスイッチ７０のスライド操作部材７１（第二スイッチ部材）が配置される開口３１２と、スライド操作部材７１を位置決めする係合部材３１３とを有する。
【００２２】
開口３１１は、＋Ｘ側のハンドルハウジング３１の前部で、−Ｚ側のハンドルハウジング３１の下部に配置されている。
【００２３】
開口３１２は、＋Ｘ側のハンドルハウジング３１の前部で、＋Ｚ側のハンドルハウジング３１の上部に配置されている。開口３１２は、開口３１１と向かい合って配置されている。
【００２４】
係合部材３１３は、ハンドルハウジング３１の内部に配置されている。係合部材３１３は、＋Ｚ側の開口３１２の下部に配置されている。係合部材３１３は、Ｙ軸方向視において、上方に凸状に屈曲した、への字型に形成されている。係合部材３１３の上端面３１３Ｆは、スライドスイッチ７０を位置決めする。
【００２５】
吸込ノズル部４０は、空気とともに塵埃を前ハウジング２２へ吸い込む吸込み口である。吸込ノズル部４０は、前ハウジング２２の外部と内部とを連通する。吸込ノズル部４０は、前ハウジング２２の前端部に配置されている。吸込ノズル部４０は、吸込用ファン２５が回転することにより、外部の空気を前ハウジング２２の内部に吸い込む。
【００２６】
バッテリ装着部５０について説明する。バッテリ装着部５０は、ハンドル部３０の下側に配置される。バッテリ装着部５０は、バッテリ１００が着脱可能である。バッテリ装着部５０は、バッテリ１００が装着される装着面５０Ｆを有する。バッテリ装着部５０は、ハンドルハウジング３１の下側に接続されるバッテリ装着ハウジング３２を含む。
【００２７】
装着面５０Ｆは、下方を向くバッテリ装着部５０の下面を含む。バッテリ装着部５０は、接続端子を有する。接続端子は、バッテリ装着部５０の装着面５０Ｆに配置されたガイドレールの近傍に配置される。
【００２８】
バッテリ１００は、充電式のバッテリである。バッテリ１００は、クリーナ１０のモータ２４に電力を供給する。バッテリ１００は、複数のセルが接続されて形成されている。
【００２９】
バッテリ１００は、バッテリ端子を有する。バッテリ端子は、バッテリ１００の上面に配置される。バッテリ１００は、−Ｘ側のバッテリ１００の後部において上方に隆起する隆起部１０１を有する。
【００３０】
バッテリ１００は、バッテリ装着部５０に着脱可能である。バッテリ１００をバッテリ装着部５０に装着するとき、バッテリ１００の上面と装着面５０Ｆとが対向するように、バッテリ１００をバッテリ装着部５０の後方から前方へスライドさせる。バッテリ１００をスライドさせることによって、隆起部１０１の前部が、−Ｘ側のバッテリ装着部５０の後部に当接する。また、バッテリ１００の上面にはバッテリ１００の上面から突出するバッテリ爪１０２が設けられる。バッテリ爪１０２は、弾性部材により上方に付勢される。バッテリ爪１０２は、−Ｘ側のバッテリ装着部５０の後部に設けられたバッテリ装着凹部５１に挿入される。これにより、バッテリ１００とバッテリ装着部５０とが位置決めされ、バッテリ１００がバッテリ装着部５０に装着される。
【００３１】
バッテリ１００がバッテリ装着部５０に装着された状態において、バッテリ１００の上面と装着面５０Ｆとが対向する。また、バッテリ１００がバッテリ装着部５０に装着された状態において、バッテリ端子と接続端子とが接続される。これにより、バッテリ１００とバッテリ装着部５０に設けられるターミナルとが接続される。ターミナルは、制御回路９１と接続される。
【００３２】
バッテリ装着部５０からバッテリ１００を外すとき、バッテリボタン１０３が操作される。バッテリボタン１０３は、バッテリ爪１０２を付勢する弾性部材と接続される。したがって、バッテリボタン１０３が操作されることにより、バッテリ爪１０２がバッテリ装着凹部５１から外れ、バッテリ装着部５０からバッテリ１００が解放される。バッテリ装着部５０からバッテリ１００を後方にスライドさせることによって、バッテリ装着部５０からバッテリ１００が外される。
【００３３】
図３、図４を用いて、トリガスイッチ６０について説明する。図３は、第一実施形態に係るクリーナのトリガスイッチ及びスライドスイッチを示す断面図であり、スライドスイッチが後部に位置した状態を示す図である。図４は、第一実施形態に係るクリーナのトリガスイッチ及びスライドスイッチを示す断面図であり、トリガスイッチが引き込まれた状態を示す図である。トリガスイッチ６０は、引き込み操作によってクリーナ１０の起動と停止とを切り替える。より詳しくは、トリガスイッチ６０は、引き込み操作によってモータ２４の起動と停止とを切り替える。トリガスイッチ６０は、＋Ｘ側のハンドル部３０の前部で、−Ｚ側のハンドル部３０の下部に配置される。トリガスイッチ６０は、トリガ操作部材６１と、信号出力部６２と、弾性部材６３とを有する。
【００３４】
トリガ操作部材６１は、トリガスイッチ６０においてユーザが操作する部材である。トリガ操作部材６１は、ハンドル部３０を片手で把持した状態で手指で操作可能な位置に配置されている。トリガ操作部材６１は、ハンドル部３０に対して引き込み操作が可能なトリガ型の操作部材である。トリガ操作部材６１は、ハンドル部３０に配置される。より詳しくは、トリガ操作部材６１は、＋Ｘ側のハンドル部３０の前部で、−Ｚ側のハンドル部３０の下部に配置される。トリガ操作部材６１の少なくとも一部は、開口３１１に配置される。トリガ操作部材６１は、ハンドルハウジング３１の下面よりも下方に突出する。トリガ操作部材６１は、ブロック状の部材である。トリガ操作部材６１は、下方を向く下端面６１Ｆを有する。Ｚ軸方向において、トリガ操作部材６１の中心とハンドル部３０の中心とは一致する。
【００３５】
トリガ操作部材６１は、ハンドル部３０に対して移動可能に配置される。より詳しくは、トリガ操作部材６１は、開口３１１内に引き込むことによって、モータ２４の起動と停止とが切り替えられる。トリガ操作部材６１は、ユーザが手指を離すと、弾性部材６３の弾性力により、元の位置に復帰する。
【００３６】
トリガ操作部材６１は、軸６１０が配置された基部６１１と、操作部６１２と、突出部６１３と、延在部６１４とを有する。基部６１１と操作部６１２と突出部６１３と延在部６１４とは、一体に形成されている。
【００３７】
軸６１０は、ハンドルハウジング３１に対して回動する。軸６１０は、Ｙ軸方向と平行な方向に沿って配置されている。
【００３８】
基部６１１は、Ｘ軸方向に延在している。基部６１１は、中間部に軸６１０が配置されている。基部６１１は、軸６１０を中心にして回動する。
【００３９】
操作部６１２は、トリガ操作部材６１においてユーザが操作する部分である。操作部６１２は、ブロック状に形成されている。操作部６１２は、基部６１１の後端部に配置されている。操作部６１２は、少なくとも一部が開口３１１から露出する。操作部６１２において開口３１１から露出した部分に、下端面６１Ｆが配置されている。操作部６１２は、開口３１１に引き込まれたり、元の位に復帰したりする。
【００４０】
突出部６１３は、基部６１１の前端部から下方に突出している。突出部６１３は、下部に弾性部材６３が組み付けられている。
【００４１】
延在部６１４は、基部６１１の前端部から前上方に延在している。延在部６１４の延在方向は、基部６１１の延在方向に対して鈍角である。延在部６１４は、平面状の上端面６１４Ｆを有する。上端面６１４Ｆは、基部６１１の延在方向と平行に配置されている。
【００４２】
このように構成されたトリガ操作部材６１は、軸６１０を中心にして回動する。トリガ操作部材６１は、操作部６１２が開口３１１に引き込まれると、軸６１０を中心に時計回りに回動して、突出部６１３及び延在部６１４が下方に移動する。トリガ操作部材６１は、操作部６１２が元の位置に戻ると、軸６１０を中心に反時計回りに回動して、突出部６１３及び延在部６１４が上方に移動する。
【００４３】
信号出力部６２は、トリガ操作部材６１の操作によりトリガ信号を出力可能な電子回路を含む。信号出力部６２は、ハンドルハウジング３１の内部に配置される。トリガ信号とは、モータ２４を起動させる指令信号である。より詳しくは、信号出力部６２は、トリガ操作部材６１が引き込まれると、モータ２４を駆動する指令信号を出力し、トリガ操作部材６１が元の位置に戻ると、モータ２４を駆動する指令信号の出力を停止する。
【００４４】
弾性部材６３は、引き込まれたトリガ操作部材６１を元の位置に復帰させるための弾性力を与える。
【００４５】
図３に示すように、トリガ操作部材６１が開口３１１から突出しているとき、トリガ操作部材６１と信号出力部６２とは離間している。信号出力部６２からトリガ信号が出力されないため、クリーナ１０は停止している。
【００４６】
図４に示すように、トリガ操作部材６１が開口３１１内に引き込まれると、トリガ操作部材６１が軸６１０を中心に時計回りに回動して、トリガ操作部材６１と信号出力部６２とが接触する。これにより、信号出力部６２からトリガ信号が出力されて、クリーナ１０が動作する。
【００４７】
図４に示す状態から、トリガ操作部材６１から手指を離すと、弾性部材６３の弾性力によって、トリガ操作部材６１が軸６１０を中心に反時計回りに回動して、トリガ操作部材６１が信号出力部６２から離れる。これにより、信号出力部６２からのトリガ信号の出力が停止されて、クリーナ１０が停止する。
【００４８】
スライドスイッチ７０は、スライド操作によってクリーナ１０の起動と停止とを切り替える。より詳しくは、スライドスイッチ７０は、スライド操作によってモータ２４の起動と停止とを切り替える。スライドスイッチ７０は、＋Ｘ側のハンドル部３０の前部で、＋Ｚ側のハンドル部３０の上部に配置される。スライドスイッチ７０は、スライド操作部材７１を有する。
【００４９】
スライド操作部材７１は、スライドスイッチ７０においてユーザが操作する部材である。スライド操作部材７１は、ハンドル部３０を片手で把持した状態で手指で操作可能な位置に配置されている。スライド操作部材７１は、ハンドル部３０を片手で把持して持ちかえることなく、トリガ操作部材６１を操作する手指とは異なる手指で操作可能な位置に配置されている。スライド操作部材７１は、ハンドル部３０に対してスライド操作可能なスライド操作部材である。スライド操作部材７１は、ハンドル部３０に移動可能に配置される。より詳しくは、スライド操作部材７１は、＋Ｘ側のハンドル部３０の前部で、＋Ｚ側のハンドル部３０の上部に配置される。スライド操作部材７１の少なくとも一部は、開口３１２に配置される。スライド操作部材７１は、ハンドルハウジング３１の上面よりも上方に突出する。スライド操作部材７１は、上方を向く上端面７１Ｆを有する。Ｚ軸方向において、スライド操作部材７１の中心とハンドル部３０の中心とは一致する。
【００５０】
スライド操作部材７１は、移動によってトリガ操作部材６１を移動させてモータ２４への電力の供給と供給停止とを切り替える。より詳しくは、スライド操作部材７１は、開口３１２内をＸ軸方向にスライドすることによって、トリガ操作部材６１を回動させてモータ２４の起動と停止とを切り替える。より詳しくは、スライド操作部材７１は、第一方向である＋Ｘ側にスライド操作すると、トリガ操作部材６１をハンドル部３０に対して引き込んだ状態でロックして、モータ２４を起動する。スライド操作部材７１は、＋Ｘ側の所定位置までスライドした位置を保持するロック機構を有する。スライド操作部材７１は、第二方向である−Ｘ側にスライド操作すると、トリガ操作部材６１のロックを解除して元の位置に復帰させて、モータ２４を停止する。
【００５１】
スライド操作部材７１は、基部７１１と、操作部７１２と、突出部７１３とを有する。基部７１１と操作部７１２と突出部７１３とは、一体に形成されている。
【００５２】
基部７１１は、ブロック状に形成されている。基部７１１は、開口３１２内に配置されている。基部７１１は、−Ｘ側の後部で、−Ｚ側の下部にテーパ面７１１Ｆが配置されている。
【００５３】
テーパ面７１１Ｆは、後方から前方に向かうにつれて上方から下方に傾斜した傾斜面である。テーパ面７１１Ｆは、スライド操作部材７１のロック機構として機能する。より詳しくは、テーパ面７１１Ｆは、係合部材３１３の上端面３１３Ｆと係合することで、スライド操作部材７１の−Ｘ側への移動を規制する。
【００５４】
操作部７１２は、スライドスイッチ７０においてユーザが操作する部分である。操作部７１２は、＋Ｚ側の基部７１１の上部に配置されている。操作部７１２は、少なくとも一部が開口３１２から露出する。操作部７１２において開口３１２から露出した部分に、上端面７１Ｆが配置されている。
【００５５】
突出部７１３は、＋Ｘ側の基部７１１の前部で、−Ｚ側の基部７１１の下部に配置されている。突出部７１３は、係合部材３１３と係合することで、スライドスイッチ７０を位置決めする。突出部７１３は、係合部材３１３の上端面３１３Ｆと係合可能な凹状の下端面（係合面）７１３Ｆが配置されている。
【００５６】
図３、図５ないし図７を用いて、スライドスイッチ７０のスライド操作について説明する。図５は、第一実施形態に係るクリーナのトリガスイッチ及びスライドスイッチを示す断面図であり、スライドスイッチが中間部に位置した状態を示す図である。図６は、第一実施形態に係るクリーナのトリガスイッチ及びスライドスイッチを示す断面図であり、スライドスイッチが前部に位置した状態を示す図である。図７は、図６に示すトリガスイッチ及びスライドスイッチの部分拡大図である。
【００５７】
図３に示すように、トリガスイッチ６０から手指が離され、スライドスイッチ７０が−Ｘ側の後部に位置付けられているとき、突出部７１３は、トリガスイッチ６０の延在部６１４から離間している。トリガ操作部材６１と信号出力部６２とは離間していて、信号出力部６２からトリガ信号が出力されないため、クリーナ１０は停止している。また、突出部７１３の下端面７１３Ｆは、係合部材３１３の上端面３１３Ｆと係合している。これにより、スライドスイッチ７０が位置決めされる。
【００５８】
図５に示すように、スライドスイッチ７０がＸ軸方向の中間部に位置付けられているとき、突出部７１３は、トリガスイッチ６０の延在部６１４の−Ｘ側の後部に接触する。これにより、トリガスイッチ６０は、延在部６１４の−Ｘ側の後部を突出部７１３に押されて、軸６１０を中心にして時計回りに回動する。トリガスイッチ６０は、トリガ操作部材６１が開口３１１内に引き込まれる。トリガ操作部材６１と信号出力部６２とが接触する。信号出力部６２からトリガ信号が出力されて、クリーナ１０が動作する。
【００５９】
図６、図７に示すように、スライドスイッチ７０が＋Ｘ側の前部（所定位置）に位置付けられているとき、突出部７１３が、延在部６１４の上端面６１４Ｆに乗り上げる。また、テーパ面７１１Ｆが、係合部材３１３の上端面３１３Ｆと係合する。これにより、スライドスイッチ７０が＋Ｘ側の前部で位置決めされてロックされる。信号出力部６２からのトリガ信号の出力が継続されて、クリーナ１０が動作した状態を保持する。
【００６０】
上述したように、テーパ面７１１Ｆが、係合部材３１３の上端面３１３Ｆと係合して、スライドスイッチ７０がロックされている。このとき、延在部６１４には、弾性部材６３の弾性力によって、上方に向かって押す力が作用する。また、延在部６１４には、上端面６１４Ｆに乗り上げた突出部７１３によって、下方に押す力が作用する。これらにより、スライドスイッチ７０は、トリガスイッチ６０を引き込んだ状態で保持する。
【００６１】
図６に示す状態から、スライドスイッチ７０を−Ｘ側にスライドすると、突出部７１３が、延在部６１４の上端面６１４Ｆから離間する。また、テーパ面７１１Ｆが、係合部材３１３の上端面３１３Ｆから離間する。さらに、スライドスイッチ７０を−Ｘ側にスライドすると、突出部７１３は、トリガスイッチ６０の延在部６１４から離間する。そして、弾性部材６３の弾性力によって、トリガ操作部材６１は、信号出力部６２から離れる。信号出力部６２からのトリガ信号の出力が停止されて、クリーナ１０が停止する。
【００６２】
図８を用いて、制御回路基板９０について説明する。図８は、第一実施形態に係るクリーナの制御回路の一例を示すブロック図である。制御回路基板９０は、後ハウジング２１の内部に配置されている。より詳しくは、制御回路基板９０は、−Ｘ側の排気口２３後部で、−Ｚ側の後ハウジング２１の下部に配置されている。制御回路基板９０は、制御回路９１を有する。
【００６３】
制御回路９１は、演算処理を行うＣＰＵ（Ｃｅｎｔｒａｌ  Ｐｒｏｃｅｓｓｉｎｇ  Ｕｎｉｔ）と、プログラムを格納したメモリとを備える。制御回路９１は、メモリに記憶した制御プログラムに従って、モータ２４の回転とバッテリ１００の放電とを実行する。
【００６４】
制御回路９１は、モータ２４の停止時にトリガスイッチ６０が引き込まれると、または、スライドスイッチ７０が＋Ｘ側にスライドされてトリガスイッチ６０が引き込まれると、モータ２４を回転させる。より詳しくは、制御回路９１は、バッテリ１００の放電電流をモータ２４に供給する。
【００６５】
制御回路９１は、モータ２４の回転時にトリガスイッチ６０が元の位置に復帰すると、または、スライドスイッチ７０が−Ｘ側にスライドされてトリガスイッチ６０が元の位置に復帰すると、バッテリ１００からの放電電流の供給を停止して、モータ２４の回転を停止する。
【００６６】
次に、クリーナ１０の使用方法及び作用について説明する。
【００６７】
例えば、部分的に吸引したいとき、ユーザは、片手でハンドル部３０を把持した状態で、トリガスイッチ６０のトリガ操作部材６１を親指で引き込み操作して、クリーナ１０を起動する。ユーザが手指でトリガ操作部材６１を引き込んだ状態を保持している間、トリガ操作部材６１と信号出力部６２とが接触して、クリーナ１０は動作する。ユーザは、吸引を終わりたいとき、トリガ操作部材６１から手指を離す。弾性部材６３の弾性力によって、トリガ操作部材６１が元の位置に復帰する。これにより、トリガ操作部材６１と信号出力部６２とが離間して、クリーナ１０は停止する。
【００６８】
例えば、連続して吸引したいとき、ユーザは、片手でハンドル部３０を把持した状態で、スライドスイッチ７０のスライド操作部材７１を人差し指で＋Ｘ側の前側にスライド操作して、クリーナ１０を起動する。
【００６９】
図５に示すように、スライドスイッチ７０が＋Ｘ側に中間部までスライドすると、突出部７１３が延在部６１４の−Ｘ側の後部を押して、トリガスイッチ６０が軸６１０を中心にして時計回りに回動する。これにより、トリガ操作部材６１の操作部６１２が開口３１１内に引き込まれる。トリガ操作部材６１と信号出力部６２とが接触して、クリーナ１０は動作する。
【００７０】
図５に示す状態から、スライドスイッチ７０がさらに＋Ｘ側にスライドすると、図６、図７に示すように、スライドスイッチ７０が＋Ｘ側の前部まで到達する。スライドスイッチ７０が＋Ｘ側の前部まで到達したとき、突出部７１３が延在部６１４の上端面６１４Ｆに乗り上げ、テーパ面７１１Ｆが係合部材３１３の上端面３１３Ｆと接触する。これにより、突出部７１３が、弾性部材６３の弾性力によって上側に戻ろうとする延在部６１４の上端面６１４Ｆを下側に押す。また、スライドスイッチ７０が−Ｘ側に移動するには、テーパ面７１１Ｆが係合部材３１３の上端面３１３Ｆの凸部を乗り越えられる程度の力を作用させる必要がある。このように、スライド操作部材７１は、テーパ面７１１Ｆと係合部材３１３の上端面３１３Ｆとが係合することによって位置決めされてロックされる。スライドスイッチ７０が位置決めされるので、不用意に−Ｘ側にスライドすることが規制される。これらにより、トリガ操作部材６１が開口３１１内に引き込まれて、トリガ操作部材６１と信号出力部６２とが接触した状態のままロックされる。信号出力部６２からのトリガ信号の出力が継続されて、クリーナ１０が動作した状態を保持する。
【００７１】
連続した吸引を終わりたいとき、ユーザは、片手でハンドル部３０を把持した状態で、スライドスイッチ７０のスライド操作部材７１を親指で−Ｘ側にスライド操作して、クリーナ１０を停止する。
【００７２】
図６、図７に示す状態から、スライドスイッチ７０が−Ｘ側にスライドすると、図５に示すように、スライドスイッチ７０が−Ｘ側に中間部まで到達する。突出部７１３が延在部６１４の−Ｘ側の後部に接触した状態である。また、基部７１１の下端面が係合部材３１３に乗り上げて、係合部材３１３の周辺の部材を撓ませながら−Ｘ側に移動する。
【００７３】
図５に示す状態から、スライドスイッチ７０がさらに−Ｘ側にスライドすると、図３に示すように、スライドスイッチ７０が−Ｘ側の後部まで到達する。突出部７１３が延在部６１４から離間して、弾性部材６３の弾性力によってトリガ操作部材６１が元の位置に復帰する。トリガ操作部材６１と信号出力部６２とは離間するので、クリーナ１０が停止する。また、突出部７１３の下端面７１３Ｆは、係合部材３１３の上端面３１３Ｆと係合している。これにより、スライドスイッチ７０が位置決めされ、不用意に＋Ｘ側にスライドすることが規制される。
【００７４】
このようにして、クリーナ１０の停止中に、スライドスイッチ７０を＋Ｘ側にスライド操作することによって、トリガスイッチ６０を手指で引き込み操作したときと同様に動かして、クリーナ１０を起動する。スライドスイッチ７０を＋Ｘ側にスライド操作してクリーナ１０を起動した後、スライドスイッチ７０を−Ｘ側にスライド操作することによって、トリガスイッチ６０から手指を離したときと同様に動かして、クリーナ１０を停止する。
【００７５】
以上説明したように、本実施形態は、クリーナ１０の停止中に、スライドスイッチ７０を＋Ｘ側にスライド操作することによって、トリガスイッチ６０を手指で引き込み操作したときと同様に動かして、クリーナ１０を起動することができる。本実施形態は、スライドスイッチ７０を＋Ｘ側にスライド操作してクリーナ１０を起動した後、スライドスイッチ７０を−Ｘ側にスライド操作することによって、トリガスイッチ６０から手指を離したときと同様に動かして、クリーナ１０を停止することができる。本実施形態によれば、スライドスイッチ７０をＸ軸方向に沿ってスライドすることによって、トリガスイッチ６０を操作したのと同様に動かして、クリーナ１０を起動したり、停止したりすることができる。このように、本実施形態によれば、スライドスイッチ７０によって、トリガスイッチ６０を手指で引き込み操作した状態を保持することなく、連続して吸引することができる。
【００７６】
また、本実施形態は、部分的に吸引したいときに、トリガスイッチ６０を手指で引き操作することができる。本実施形態によれば、ユーザにとって操作が容易で、利便性が高いものとすることができる。
【００７７】
本実施形態は、トリガスイッチ６０を引き込み操作した状態で維持するために、例えば、トリガスイッチ６０を引き込み操作した後、さらにロック部材を操作ような追加の操作を行う必要がない。本実施形態によれば、１つの操作で、トリガスイッチ６０を引き込み操作した状態で維持することができる。
【００７８】
本実施形態では、スライドスイッチ７０を＋Ｘ側にスライド操作すると、トリガスイッチ６０を引き込み操作した場合と同様に動かす。本実施形態は、クリーナ１０の起動時、常にトリガスイッチ６０が引き込まれた状態になるので、ユーザが違和感なく使用することができる。
【００７９】
本実施形態では、スライドスイッチ７０が＋Ｘ側の前部まで到達すると、スライド操作部材７１は、テーパ面７１１Ｆと係合部材３１３の上端面３１３Ｆとが係合することによって位置決めされてロックされる。これにより、本実施形態は、スライドスイッチ７０が、不用意に−Ｘ側にスライドすることを規制することができる。言い換えると、本実施形態は、トリガ操作部材６１が開口３１１内に引き込まれて、トリガ操作部材６１と信号出力部６２とが接触した状態のまま確実にロックすることができる。
【００８０】
本実施形態では、スライドスイッチ７０が−Ｘ側の後部まで到達すると、スライド操作部材７１は、突出部７１３の下端面７１３Ｆと係合部材３１３の上端面３１３Ｆとが係合することによって、スライドスイッチ７０が位置決めされる。これにより、本実施形態は、スライドスイッチ７０が、不用意に＋Ｘ側にスライドすることが規制される。
【００８１】
本実施形態は、制御回路基板９０は、−Ｘ側の排気口２３の後部で、−Ｚ側の後ハウジング２１の下部に配置されている。本実施形態によれば、後ハウジング２１の内部を通過して排気口２３から排出する空気をスムースに通過させることができる。これにより、本実施形態は、集塵性能を向上することができる。また、本実施形態は、モータ２４を効率的に冷却することができる。
【００８２】
これに対して、図１１を用いて、従来の制御回路基板９０の配置について説明する。図１１は、従来のクリーナの一例を示す断面図である。従来は、制御回路基板９０は、−Ｘ側のモータ２４の後部で、＋Ｚ側のモータ２４の上部に配置されていた。また、＋Ｚ側のモータ２４の上部とハンドル部３０との間に配置された仕切り壁２１１には、制御回路基板９０とスイッチとの間の配線を通すための、スリット２１２が形成されていた。
【００８３】
本実施形態は、制御回路基板９０を、−Ｘ側の排気口２３の後部で、−Ｚ側の後ハウジング２１の下部に配置するので、制御回路基板９０とスイッチとの間の配線を、−Ｘ側のハンドルハウジング３１の後側と、バッテリ装着ハウジング３２とを通すように配置してもよい。このように配線する場合、仕切り壁２１１にスリットを形成しなくてよいので、スイッチや配線が収容されたハンドルハウジング３１の内部と、フィルタ２６が配置された後ハウジング２１の内部とを別の空間にすることができる。本実施形態によれば、後ハウジング２１の内部からハンドルハウジング３１の内部へ空気が流れることを規制できるので、集塵性能を向上することができる。また、本実施形態によれば、フィルタ２６で集塵できなかった塵埃がハンドル部３０側に流入することをより確実に規制することができる。
【００８４】
［第二実施形態］
図９、図１０を参照しながら、本実施形態に係るクリーナ１０Ａについて説明する。図９は、第二実施形態に係るクリーナの一例を示す側面図である。図１０は、図９に示すトリガスイッチ及びスライドスイッチの部分拡大図である。クリーナ１０Ａは、基本的な構成は第一実施形態のクリーナ１０と同様である。以下の説明においては、クリーナ１０と同様の構成要素には、同一の符号または対応する符号を付し、その詳細な説明は省略する。本実施形態では、スライドスイッチ７０Ａの構成が第一実施形態と異なる。
【００８５】
スライドスイッチ７０Ａのスライド操作部材７１Ａは、Ｙ軸方向に延在する部材である。スライド操作部材７１Ａは、ハンドルハウジング３１をＹ軸方向に貫通している。スライド操作部材７１Ａは、＋Ｙ側の端部及び−Ｙ側の端部がハンドルハウジング３１から突出している。
【００８６】
スライド操作部材７１Ａは、Ｙ軸方向にスライドすることによって、トリガ操作部材６１を回動させてモータ２４の起動と停止とを切り替える。より詳しくは、スライド操作部材７１Ａは、第一方向である−Ｙ側にスライド操作すると、トリガ操作部材６１をハンドル部３０に対して引き込んだ状態でロックして、モータ２４を起動する。スライド操作部材７１Ａは、第二方向である＋Ｙ側にスライド操作すると、トリガ操作部材６１を元の位置に復帰させて、モータ２４を停止する。
【００８７】
スライド操作部材７１Ａは、基部７１１Ａと、操作部７１２Ａとを有する。基部７１１Ａと操作部７１２Ａとは、一体に形成されている。
【００８８】
基部７１１Ａは、ハンドルハウジング３１内に配置されている。基部７１１Ａは、−Ｙ側の後部で、−Ｚ側の下部にテーパ面７１１Ｆが配置されている。テーパ面７１１Ｆは、＋Ｙ側から−Ｙ側に向かうにつれて下方から上方に傾斜した傾斜面である。
【００８９】
操作部７１２Ａは、スライドスイッチ７０Ａにおいてユーザが操作する部分である。操作部７１２Ａは、基部７１１Ａの＋Ｙ側及び−Ｙ側の側部に配置されている。操作部７１２Ａにおいて、ハンドルハウジング３１の＋Ｙ側から露出した部分に、端面７１Ｆが配置されている。操作部７１２Ａにおいて、ハンドルハウジング３１の−Ｙ側から露出した部分に、端面７１Ｆ２が配置されている。
【００９０】
このように構成されたスライドスイッチ７０Ａは、＋Ｙ側に位置付けられているとき、テーパ面７１１Ｆは、延在部６１４の上端面６１４Ｆから離間している。スライドスイッチ７０Ａは、端面７１Ｆが−Ｙ側に押し込まれると、テーパ面７１１Ｆが、延在部６１４の上端面６１４Ｆに乗り上げながら移動する。スライドスイッチ７０Ａが−Ｙ側に位置付けられているとき、下面７１１Ｆ２が、延在部６１４の上端面６１４Ｆに乗り上げる。これにより、トリガスイッチ６０が時計回りに回動する。これにより、トリガ操作部材６１が引き込まれて、クリーナ１０が動作する。
【００９１】
スライドスイッチ７０Ａによってクリーナ１０を動作させた後、端面７１Ｆ２が＋Ｙ側に押し込まれて、スライドスイッチ７０Ａが＋Ｙ側に位置付けられると、テーパ面７１１Ｆが、延在部６１４の上端面６１４Ｆから離間する。そして、弾性部材６３の弾性力によって、トリガ操作部材６１は元の位置に復帰して、クリーナ１０が停止する。
【００９２】
以上説明したように、本実施形態では、スライドスイッチ７０ＡをＹ軸方向に沿ってスライド操作することによって、トリガスイッチ６０を操作したのと同様に動かして、クリーナ１０を起動したり、停止したりすることができる。
【００９３】
上記で説明したクリーナ１０の構成は一例である。スライドスイッチ７０は、例えば、Ｚ軸方向など他の方向にスライドさせるものであってもよい。
【００９４】
バッテリ１００は、後ハウジング２１の内部または外部に着脱可能であっても、着脱不可能に組み付けられていてもよい。
【符号の説明】
【００９５】
１０…クリーナ、２０…本体部、２１…後ハウジング、２２…前ハウジング、２３…排気口、２４…モータ、２５…吸込用ファン、２６…フィルタ、３０…ハンドル部、３１…ハンドルハウジング、３１１…開口、３１２…開口、３１３…係合部材、３１３Ｆ…上端面、４０…吸込ノズル部、５０…バッテリ装着部、６０…トリガスイッチ、６１…トリガ操作部材（第一スイッチ部材）、６１０…軸、６１１…基部、６１２…操作部、６１３…突出部、６１４…延在部、６１４Ｆ…上端面、６２…信号出力部、６３…弾性部材、７０…スライドスイッチ、７１…スライド操作部材（第二スイッチ部材）、７１１…基部、７１１Ｆ…テーパ面、７１２…操作部、７１３…突出部、７１３Ｆ…下端面（係合面）、９０…制御回路基板、９１…制御回路、１００…バッテリ。
【図１】
2020018637.tif 000003
【図２】
2020018637.tif 000004
【図３】
2020018637.tif 000005
【図４】
2020018637.tif 000006
【図５】
2020018637.tif 000007
【図６】
2020018637.tif 000008
【図７】
2020018637.tif 000009
【図８】
2020018637.tif 000010
【図９】
2020018637.tif 000011
【図１０】
2020018637.tif 000012
【図１１】
2020018637.tif 000013